【手続補正書】
【提出日】平成17年3月10日(2005.3.10)
【手続補正１】
【補正対象書類名】特許請求の範囲
【補正対象項目名】全文
【補正方法】変更
【補正の内容】
【特許請求の範囲】
【請求項１】
電気機械手術装置と共に使用するための手術器具であって：
前記手術器具を前記電気機械手術装置に結合するように構成されたカップリング材と；
前記手術器具に関連する少なくとも１つのパラメータを示すデータを格納するように構成されたメモリユニットと；
少なくとも１つの従動要素と；
前記電気機械手術装置の駆動軸を前記少なくとも１つの従動要素に結合するように構成されたギアアレンジメントであって、このギアアレンジメントは前記駆動軸の高速回転を変換して前記少なくとも１つの従動要素を高トルクで駆動するように構成されるものである、前記ギアアレンジメントと；
を有するものであって、
前記カップリング材は、前記メモリユニットを前記電気機械手術装置にコネクトするように構成されたデータコネクタを含むものである。
【請求項２】
電気機械手術装置であって：
少なくとも１つの回転可能な駆動軸と；
前記少なくとも１つの回転可能な駆動軸をその近端部から回転させるように構成されたモータアレンジメントと；
前記回転可能な駆動軸の末端部に配置された第１のギアアレンジメントと；
前記ギアアレンジメントによって駆動する少なくとも１つの要素と；
を有するものであって、
前記ギアアレンジメントは前記回転可能な駆動軸の高速回転を変換して前記少なくとも１つの従動要素を高トルクで駆動するように構成されるものである。
【請求項３】
請求項２記載の前記電気機械手術装置は、前記回転可能な駆動軸の末端部に取り付け可能なサージカルアタッチメントを更に有し、前記サージカルアタッチメントは前記少なくとも１つの要素を含むものである。
【請求項４】
請求項３記載の前記電気機械手術装置において、前記第１のギアアレンジメントは前記サージカルアタッチメントに配置されるものである。
【請求項５】
請求項３記載の前記電気機械手術装置において、前記サージカルアタッチメントはサーキュラーサージカルステープラアタッチメント（circular surgical stapler attachment）を含むものである。
【請求項６】
請求項５記載の前記電気機械手術装置において、前記少なくとも１つの要素は、前記サーキュラーサージカルステープラアタッチメントのアンビルを少なくとも１つと、前記サーキュラーサージカルステープラアタッチメントのステープルドライバ／カッターとを含むものである。
【請求項７】
請求項２記載の前記電気機械手術装置において、前記少なくとも１つの回転可能な駆動軸は、第１の回転可能な駆動軸と第２の回転可能な駆動軸とを含むものであって、前記少なくとも１つの要素が、前記第１の回転可能な駆動軸によって駆動される第１の要素と、前記第２の回転可能な駆動軸によって駆動される第２の要素とを含むものであり、前記ギアアレンジメントが、前記第１の回転可能な駆動軸の高速回転を変換して前記第１の従動要素を高トルクで駆動するように構成された第１のギアシステムと、前記第２の回転可能な駆動軸の高速回転を変換して前記第２の従動要素を高トルクで駆動するように構成された第２のギアシステムとを含むものである。
【請求項８】
請求項７記載の前記電気機械手術装置において、前記モータアレンジメントは、前記第１の回転可能な駆動軸を回転させるように構成された第１のモータと、前記第２の回転可能な駆動軸を回線させるように構成された第２のモータとを含むものである。
【請求項９】
請求項７記載の前記電気機械手術装置は更に、前記第１及び第２の回転可能な駆動軸の前記末端に着脱可能に取り付けることができるサージカルアタッチメントを有するものであって、前記サージカルアタッチメントは前記第１及び第２の要素を含むものである。
【請求項１０】
請求項９記載の前記電気機械手術装置において、前記第１の要素はアンビルを含み、前記第２の要素はステープルドライバ／カッターを含むものである。
【請求項１１】
請求項２記載の前記電気機械手術装置は更に、前記モータアレンジメントと前記少なくとも１つの回転可能な駆動軸との間に配置された第２のギアアレンジメントを有するものであって、前記第２のギアアレンジメントは前記モータアレンジメントによって伝達された高トルクを変換して前記少なくとも１つの回転可能な駆動軸を高速で回転させるように構成されたものである。
【請求項１２】
請求項２記載の前記電気機械手術装置において、前記第１のギアアレンジメントは、スパーギアアレンジメント（spur gear arrangement）、遊星ギアアレンジメント、ハーモニックギアアレンジメント（harmonic gear arrangement）、サイクロイドドライブアレンジメント（cycloidal drive arrangement）及びエピサイクリックギアアレンジメント（epicyclic gear arrangement）のうち少なくとも１つを含むものである。
【請求項１３】
請求項２記載の前記電気機械手術装置において、前記第１のギアアレンジメント及び前記第２のギアアレンジメントの夫々は、スパーギアアレンジメント（spur gear arrangement）、遊星ギアアレンジメント、ハーモニックギアアレンジメント（harmonic gear arrangement）、サイクロイドドライブアレンジメント（cycloidal drive arrangement）及びエピサイクリックギアアレンジメント（epicyclic gear arrangement）のうち少なくとも１つを含むものである。
【請求項１４】
手術装置であって：
第１のカップリング材を有する伸長したシャフトと；
第２のカップリング材を有する手術器具であって、前記第２のカップリング材は前記第１のカップリング材と相補的でありかつ結合するように構成されたものである、前記第２のカップリング材と；
を有する前記手術装置において、
前記伸長したシャフトは第１の開口部を介して身体に挿入されるように構成され、前記手術器具は第２の開口部を介して前記身体に挿入されるように構成されるものであり；
前記伸長したシャフトが前記第１の開口部を介して前記身体に挿入された後、及び前記手術器具が前記第２の開口部を介して前記身体に挿入された後、前記伸長したシャフトは前記第１のカップリング材及び前記第２のカップリング材を介して前記手術器具に結合されるように構成されるものである。
【請求項１５】
請求項１４記載の前記手術装置において、前記第１の開口部は、本来備わっている開口部、切り口及びカニューレのうち少なくとも１つを含むものである。
【請求項１６】
請求項１４記載の前記手術装置において、前記第２の開口部は、本来備わっている開口部、切り口及びカニューレのうち少なくとも１つを含むものである。
【請求項１７】
請求項１４記載の前記手術装置において、前記第１の開口部及び前記第２の開口部の夫々は、本来備わっている開口部、切り口及びカニューレのうち少なくとも１つを含むものである。
【請求項１８】
請求項１４記載の前記手術装置において、前記第１の開口部は前記第２の開口部とは異なるものである。
【請求項１９】
請求項１４記載の前記手術装置において、前記手術器具はサージカルステープラ器具を含むものである。
【請求項２０】
請求項１４記載の前記手術装置において、前記手術器具はサージカルステープラ／カッター器具を有するものである。
【請求項２１】
請求項１４記載の前記手術装置において、前記手術器具は接合器具を含むものである。
【請求項２２】
請求項１４記載の前記手術装置において、前記可撓軸及び前記可撓軸に結合された前記手術器具は、前記第１の開口部を介して前記身体から引き抜かれるように構成されたものである。
【請求項２３】
請求項１４記載の前記手術装置において、前記手術器具は少なくとも１つの移動可能な要素を含むものであって、前記可撓軸は前記少なくとも１つの移動可能な要素に影響を与えるように構成された少なくとも１つの回転可能な駆動軸を含むものである。
【請求項２４】
請求項２３記載の前記手術装置において、前記第１のカップリング材及び前記第２のカップリング材は、前記少なくとも１つの移動可能な要素と前記少なくとも１つの回転可能な駆動軸が結合するように構成されるものである。
【請求項２５】
請求項２３記載の前記手術装置は更に、前記少なくとも１つの回転可能な駆動軸を駆動させるように構成された電気機械ドライバ装置を有するものである。
【請求項２６】
請求項２５記載の前記手術装置において、前記電気機械式ドライバ装置は、前記少なくとも１つの駆動軸を駆動させるように構成されたモータシステムを含むものである。
【請求項２７】
請求項１４記載の前記手術装置において、前記手術器具は、第１の移動可能な要素及び第２の移動可能な要素を含むものであり、前記可撓軸は、前記第１の移動可能な要素の移動に影響を与えるように構成された第１の回転可能な駆動軸と、前記第２の移動可能な要素の移動に影響を与えるように構成された第２の回転可能な駆動軸とを含むものである。
【請求項２８】
請求項２７記載の前記手術装置において、前記第１のカップリング材及び前記第２のカップリング材は、前記第１の移動可能な要素と前記第１の回転可能な駆動軸が結合するように、及び前記第２の移動可能な要素と前記第２の回転可能な駆動軸が結合するように構成されるものである。
【請求項２９】
請求項２８記載の前記手術装置は更に、前記第１の回転可能な駆動軸及び前記第２の回転可能な駆動軸を駆動させるように構成された電気機械式ドライバ装置を有するものである。
【請求項３０】
請求項２９記載の前記手術装置において、前記電気機械式ドライバ装置は、前記第１の回転可能な駆動軸及び前記第２の回転可能な駆動軸を駆動させるように構成されたモータシステムを含むものである。
【請求項３１】
請求項３０記載の前記手術装置において、前記モータシステムは、前記第１の回転可能な駆動軸を駆動させるように構成された第１のモータと、前記第２の回転可能な駆動軸を駆動させるように構成された第２のモータとを含むものである。
【請求項３２】
請求項１４記載の前記手術装置において、前記可撓軸は、前記伸長したシャフトの末端を動かすように構成されたステアリング装置を含むものである。
【請求項３３】
手術装置であって：
第１のカップリング材を有する伸長したシャフトと；
第２のカップリング材を有する手術器具であって、前記第２のカップリング材は前記第１のカップリング材と相補的でありかつ結合するように構成されたものである、前記第２のカップリング材と；
を有する前記手術装置において、
前記伸長したシャフトは第１の開口部を介して身体に挿入されるように構成され、前記手術器具は前記第１の開口部及び第２の開口部のうち１つを介して前記身体に挿入されるように構成されるものであり；
前記伸長したシャフトが前記第１の開口部を介して前記身体に挿入された後、及び前記手術器具が前記第１の開口部及び前記第２の開口部のうち１つを介して前記身体に挿入された後、前記伸長したシャフトは前記第１のカップリング材及び前記第２のカップリング材を介して前記手術器具に結合されるように構成されるものである。